(57)【要約】【課題】エンジンルーム内でのコネクタの取り付けスペースを小さくすることを目的とする。【解決手段】コネクタ取付構造１は、機器ケース８０のケース壁８１に備えられた台座部８２と、この台座部８２に並んで取り付けられる２極コネクタ１０および３極コネクタ５０を備える。２極コネクタ１０は、内部に端子金具４０を収容するハウジング２０と、ハウジング２０に組み付けられ、台座部８２に取り付けられるシールドシェル３０とを備え、同様に、３極コネクタ５０も、ハウジング６０とシールドシェル７０とを備える。各シールドシェル３０、７０は、取付片３５、７５を有しており、台座部８２が、取付片３５、７５が固定される固定柱８５Ａ、８５Ｂ、８５Ｃ、８５Ｄを有している。２極コネクタ１０に備えられる２つの取付片３５のうちの１つと、３極コネクタ５０が有する２つの取付片７５のうちの１つとが、一つの固定柱８５Ｂに対して固定されている。【選択図】図３
2017062953.tif 000002
【特許請求の範囲】
【請求項１】
ケース壁を備えたケースの前記ケース壁に備えられるコネクタ取付部と、
前記コネクタ取付部に取り付けられる複数のコネクタとを備えるコネクタ取付構造であって、
前記複数のコネクタのそれぞれが、内部に端子金具が収容されるハウジングと、前記ハウジングに組み付けられ、前記コネクタ取付部に取り付けられる取付部材とを備え、
前記取付部材が固定部を有し、前記コネクタ取付部が、前記固定部が固定される被固定部を有し、
前記複数のコネクタのうち一のコネクタに備えられる一の前記固定部と、前記一のコネクタに隣接する他のコネクタが有する他の前記固定部とが、一の前記被固定部に対して固定されているコネクタ取付構造。
【請求項２】
前記ケースが、電源と接続される第１の機器を内部に収容する部材であり、
前記一のコネクタが、前記電源を前記第１の機器と接続するコネクタであり、前記他のコネクタが、前記ケース外に配置される第２の機器を前記第１の機器と接続するコネクタであり、
前記一のコネクタに備えられる前記一の固定部と、前記他のコネクタに備えられる前記他の固定部とが、前記被固定部に対して、前記他の固定部、前記一の固定部の順に重なって配置されている、請求項１に記載のコネクタ取付構造。
【発明の詳細な説明】
【技術分野】
【０００１】
本明細書によって開示される技術は、コネクタ取付構造に関する。
【背景技術】
【０００２】
従来、電気自動車やハイブリッド車に搭載されたモータ等の機器を収容する機器ケースに取り付けられるコネクタとして、機器ケースに固定されるシールド板と、このシールド板に保持されたハウジングと、このハウジングに保持された端子付きのシールド電線とを備えるコネクタが知られている（特許文献１参照）。シールド板は、両端にそれぞれ配置された取付孔を有しており、各取付孔に挿通されたボルトを機器ケースのねじ孔にねじ付けることにより、コネクタが機器ケースに固定される。
【先行技術文献】
【特許文献】
【０００３】
【特許文献１】特開２０１０−５５９２４号公報
【発明の概要】
【発明が解決しようとする課題】
【０００４】
上記の構成では、シールド板の両端にそれぞれ取付孔を配置するためのスペースが必要となる。
近年、車両の高性能化に伴う電装品の個数の増大や、居住空間の大型化に伴って、エンジンルーム内でのコネクタの取り付けスペースを小さくすることが求められている。
【課題を解決するための手段】
【０００５】
本明細書によって開示されるコネクタ取付構造は、ケース壁を備えたケースの前記ケース壁に備えられるコネクタ取付部と、前記コネクタ取付部に取り付けられる複数のコネクタとを備えるコネクタ取付構造であって、前記複数のコネクタのそれぞれが、内部に端子金具が収容されるハウジングと、前記ハウジングに組み付けられ、前記コネクタ取付部に取り付けられる取付部材とを備え、前記取付部材が固定部を有し、前記コネクタ取付部が、前記固定部が固定される被固定部を有し、前記複数のコネクタのうち一のコネクタに備えられる一の前記固定部と、前記一のコネクタに隣接する他のコネクタが有する他の前記固定部とが、一の前記被固定部に対して固定されている。
【０００６】
上記の構成によれば、隣り合う２つのコネクタのそれぞれが有する固定部が、一の被固定部を共用している分だけ、固定部を配置するためのスペースを削減でき、コネクタの取り付けスペースを小さくすることができる。
【０００７】
上記のコネクタ取付構造において、前記ケースが、電源と接続される第１の機器を内部に収容する部材であり、前記一のコネクタが、前記電源を前記第１の機器と接続するコネクタであり、前記他のコネクタが、前記ケース外に配置される第２の機器を前記第１の機器と接続するコネクタであり、前記一のコネクタに備えられる前記一の固定部と、前記他のコネクタに備えられる前記他の固定部とが、前記被固定部に対して、前記他の固定部、前記一の固定部の順に重なって配置されていてもよい。
【０００８】
上記の構成によれば、コネクタ取付部に対する他のコネクタの取り付け、取り外しを行う際には、電源に接続される一のコネクタが必ずコネクタ取付部から取り外された状態、つまり、電源オフの状態となる。すなわち、他のコネクタの取扱作業の際のインターロック機構としての役割を一のコネクタに担わせることができる。
【発明の効果】
【０００９】
本明細書によって開示される技術によれば、複数のコネクタを並べて機器ケースに取り付ける場合において、コネクタの取り付けスペースを小さくすることができる。
【図面の簡単な説明】
【００１０】
【図１】実施形態のコネクタ取付構造を示す斜視図
【図２】実施形態のコネクタ取付構造の分解斜視図
【図３】実施形態の機器ケースの台座部にコネクタが配置された様子を示す斜視図
【図４】実施形態の機器ケースの台座部にコネクタが配置された様子を示す平面図
【図５】実施形態の２極コネクタの斜視図
【図６】実施形態の３極コネクタの斜視図
【図７】実施形態の機器コネクタに配置された台座部の斜視図
【図８】実施形態のシェルカバーの斜視図
【図９】実施形態のコネクタにより接続される機器の概略構成図
【発明を実施するための形態】
【００１１】
実施形態１を図１〜図９を参照しつつ説明する。本実施形態のコネクタの取付構造１は、ハイブリッド自動車や電気自動車などの車両に備えられる構造であって、図１に示すように、機器ケース８０（ケースに該当）に配置された台座部８２（コネクタ取付部に該当）と、この台座部８２に取り付けられる２つのコネクタ１０、５０と、２つのコネクタ１０、５０を一括して覆うシェルカバー９０とを有している。
【００１２】
図９に示すように、機器ケース８０の内部には、インバータ８７（第１の機器に該当）が収容されており、このインバータ８７は、機器ケース８０外に配置されたバッテリ８８（電源に該当）および３相モータ８９（第２の機器に該当）と接続されている。２つのコネクタ１０、５０のうち一方は、インバータ８７とバッテリ８８とを接続する２極コネクタ１０（一のコネクタに該当）であり、もう一方は、インバータ８７と３相モータ８９（第２の機器に該当）とを接続する３極コネクタ５０（他のコネクタに該当）である。
【００１３】
［２極コネクタ１０］
２極コネクタ１０は、図５に示すように、２つの端子金具４０と、ハウジング２０と、シールドシェル３０（取付部材に該当）とを備えている。
【００１４】
２つの端子金具４０のそれぞれは、金属製であって、図５に示すように、一端部が平板状のタブ部４１となっており、他端部には電線（図示せず）が圧着されている。
【００１５】
ハウジング２０は、合成樹脂製であって、図４および図５に示すように、ハウジング本体２１と、このハウジング本体２１から連なる嵌合部２５と、同じくハウジング本体２１から連なる電線収容部２６とを有している。ハウジング本体２１は、内部にタブ部４１を収容する部分であり、嵌合部２５は、台座部８２に組み付けられる部分であり、電線収容部２６は、端子金具４０の他端部と電線とを収容する部分である。
【００１６】
ハウジング本体２１は、図５に示すように、一端が開口した有底筒状の部分であって、全体として台形の外形を有する底壁部２２と、この底壁部２２の周縁から底壁部２２に対して垂直に延びる筒状の側壁部２３とを有している。側壁部２３は、図４に示すように、互いに平行に配置される２つの平行壁２３Ａ１、２３Ａ２と、これら２つの平行壁２３Ａ１、２３Ａ２を繋ぐ２つの接続壁２３Ｂとを有する略角筒状となっている。２つの平行壁２３Ａ１、２３Ａ２のうち一方の平行壁２３Ａ１の幅（筒の軸方向と垂直な方向の長さ）は、他方の平行壁２３Ａ２の幅よりも短くなっている。ハウジング本体２１の開口部は、作業者が２極コネクタ１０を機器ケース８０に取り付ける作業を行うための作業用開口部２４となっている。
【００１７】
嵌合部２５は、図５に示すように、底壁部２２から、側壁部２３とは反対方向に延びる、角部が丸められた角筒状の部分である。嵌合部２５は、ハウジング本体２１よりも外形が一回り小さくなっている。
【００１８】
電線収容部２６は、側壁部２３の一方の平行壁２３Ａ１から、この平行壁２３Ａ１に対して垂直に、外方に向かって延びる筒状の部分である。この電線収容部２６は、詳細には図示しないが、筒の軸方向に貫通する２つのキャビティを有している。各端子金具４０の他端部と電線とが電線収容部２６の内部に配置され、タブ部４１は、平行壁２３Ａ１を貫通してハウジング本体２１の内部に臨んでいる。
【００１９】
シールドシェル３０は、金属板を打ち抜きおよび曲げ加工、絞り加工等することによって形成され、ハウジング２０に装着される部材である。このシールドシェル３０は、図５に示すように、内部に電線収容部２６を収容するシェル本体部３１と、このシェル本体部３１から連なる取付板部３２とを備えている。
【００２０】
シェル本体部３１は、両端が開口した筒状であって、電線収容部２６の外周を全周にわたって覆っている。
【００２１】
取付板部３２は、第１平板部３３と、第２平板部３４と、２つの取付片３５とを有する。
【００２２】
第１平板部３３は、図５に示すように、シェル本体部３１の一方の開口縁（電線収容部２６に装着された状態で、平行壁２３Ａ１を向く開口縁）から、シェル本体部３１に対して垂直に、外側に向かって延びる平板状の部分である。この第１平板部３３は、シールドシェル３０がハウジング２０に装着された状態では、平行壁２３Ａ１と平行に配置されている。
【００２３】
第２平板部３４は、図５に示すように、第１平板部３３の端縁から、第１平板部３３に対して垂直に延びる平板状の部分である。この第２平板部３４は、シールドシェル３０がハウジング２０に装着された状態では、ハウジング本体２１に向かって延び、ハウジング本体２１の軸方向と垂直に配置されている。
【００２４】
２つの取付片３５（一の固定部に該当）は、図５に示すように、それぞれ、第２平板部３４から、第１平板部３３とは反対側に向かって延びる板片状の部分である。２つの取付片３５は、図４に示すように、間にハウジング本体２１の平行壁２３Ａ１を挟んで配置されている。各取付片３５は、ボルト挿通孔３６を有している。ボルト挿通孔３６は、取付片３５の一方の面から他方の面まで貫通する貫通孔である。
【００２５】
シェル本体部３１には、図５に示すように、電線収容部２６から引き出された複数の電線を一括して覆うシールド部材３７が装着されている。
【００２６】
ハウジング本体２１には、図２に示すように、サービスカバーＣ１が取り付けられる。サービスカバーＣ１は、作業用開口部２４からハウジング本体２１内に圧入されて作業用開口部２４を塞ぐ部材である。
【００２７】
［３極コネクタ５０］
３極コネクタ５０は、図６に示すように、３つの端子金具４０と、ハウジング６０と、シールドシェル７０（取付部材に該当）とを備えている。３つの端子金具４０のそれぞれは、３極コネクタ５０に備えられている端子金具４０と同様の構成であるので、同一の符号を付して説明を省略する。
【００２８】
ハウジング６０は、合成樹脂製であって、図４および図６に示すように、ハウジング本体６１と、このハウジング本体６１から連なる嵌合部６５と、同じくハウジング本体６１から連なる電線収容部６６とを有している。ハウジング本体６１は、内部にタブ部４１を収容する部分であり、嵌合部６５は、台座部８２に組み付けられる部分であり、電線収容部６６は、端子金具４０の他端部と電線とを収容する部分である。
【００２９】
ハウジング本体６１は、図６に示すように、一端が開口した有底筒状の部分であって、角部が丸められた長方形の外形を有する底壁部６２と、この底壁部６２の周縁から底壁部６２に対して垂直に延びる筒状の側壁部６３とを有している。側壁部６３は、図４に示すように、互いに平行に配置される２つの長壁６３Ａ１、６３Ａ２と、これら２つの長壁６３Ａ１、６３Ａ２を繋ぐ２つの短壁６３Ｂとを有する略角筒状となっている。ハウジング本体６１の開口部は、作業者が３極コネクタ５０を機器ケース８０に取り付ける作業を行うため作業用開口部６４となっている。
【００３０】
嵌合部６５は、図６に示すように、底壁部６２から、側壁部６３とは反対方向に延びる筒状の部分である。嵌合部６５は、ハウジング本体６１よりも外形が一回り小さくなっている。
【００３１】
電線収容部６６は、図４に示すように、側壁部６３の２つの長壁６３Ａ１、６３Ａ２のうち一方の長壁６３Ａ１から、この長壁６３Ａ１に対して垂直に、外方に向かって延びる筒状の部分である。この電線収容部６６は、詳細には図示しないが、筒の軸方向に貫通する３つのキャビティを有している。各端子金具４０の他端部と電線とが電線収容部６６の内部に配置され、タブ部４１は、長壁６３Ａ１を貫通してハウジング本体６１の内部に臨んでいる。
【００３２】
シールドシェル７０は、金属板を打ち抜きおよび曲げ加工・絞り加工等することによって形成され、ハウジング６０に装着される部材である。このシールドシェル７０は、図６に示すように、内部に電線収容部６６を収容するシェル本体部７１と、このシェル本体部７１から連なる取付板部７２とを備えている。
【００３３】
シェル本体部７１は、両端が開口した筒状であって、電線収容部６６の外周を全周にわたって覆っている。
【００３４】
取付板部７２は、第１平板部７３と、第２平板部７４と、２つの取付片７５とを有する。
【００３５】
第１平板部７３は、図６に示すように、シェル本体部７１の一方の開口縁（電線収容部６６に装着された状態で、長壁６３Ａ１を向く開口縁）から、シェル本体部７１に対して垂直に、外側に向かって延びる平板状の部分である。この第１平板部７３は、シールドシェル７０がハウジング６０に装着された状態では、長壁６３Ａ１の外壁面と平行に配置されている。
【００３６】
第２平板部７４は、図６に示すように、第１平板部７３の端縁から、第１平板部７３に対して垂直に延びる平板状の部分である。この第２平板部７４は、シールドシェル７０がハウジング６０に装着された状態では、ハウジング本体６１に向かって延び、ハウジング本体６１の軸方向と垂直に配置されている。
【００３７】
２つの取付片７５（他の固定部に該当）は、図６に示すように、それぞれ、第２平板部７４から、第１平板部７３とは反対側に向かって延びる板片状の部分である。２つの取付片７５は、図４に示すように、間にハウジング本体６１の長壁６３Ａ１を挟んで配置されている。各取付片７５は、ボルト挿通孔７６を有している。ボルト挿通孔７６は、取付片７５の一方の面から他方の面まで貫通する貫通孔である。
【００３８】
シェル本体部７１には、電線収容部６６から引き出された複数の電線を一括して覆う、図示しないシールド導電体が装着され、かしめリング７７によってかしめ付けられている。
【００３９】
ハウジング本体６１には、図２に示すように、サービスカバーＣ２が取り付けられる。サービスカバーＣ２は、作業用開口部６４からハウジング本体６１内に圧入されて作業用開口部６４を塞ぐ部材である。
【００４０】
［機器ケース８０］
機器ケース８０は、電磁的なシールド機能を備える金属製の箱であって、機器を収容する内部空間と外部空間とを隔てるケース壁８１を有している。ケース壁８１には、図７に示すように、２つのコネクタ１０、５０を装着するための台座部８２が備えられており、この台座部８２は、機器ケース８０の外側を向く面から内側を向く面まで貫通する２つの装着孔８３、８４と、４つの固定柱８５Ａ、８５Ｂ、８５Ｃ、８５Ｄとを有している。
【００４１】
２つの装着孔８３、８４のうち一方は、２極コネクタ１０用の第１装着孔８３であって、内部に電線収容部２６を緊密に収容可能となっている。他方は、３極コネクタ５０用の第２装着孔８４であって、内部に電線収容部６６を緊密に収容可能となっている。２つの装着孔８３、８４は、並んで配置されている。
【００４２】
４つの固定柱８５Ａ、８５Ｂ、８５Ｃ、８５Ｄのそれぞれは、台座部８２から立設された円柱状をなしており、それぞれ、ボルト９４をねじ付けるためのボルト穴８６Ａ、８６Ｂ、８６Ｃ、８６Ｄを有している。４つの固定柱８５Ａ、８５Ｂ、８５Ｃ、８５Ｄのうち３つの固定柱８５Ａ、８５Ｂ、８５Ｃは、２つの装着孔８３、８４の列に対して一方の側（図７の右下側）に一列に並んで配置されており、残り１つの固定柱８５Ｄは、他方の側（図７の左上側）に配置されている。
【００４３】
［シェルカバー９０］
シェルカバー９０は、薄い金属板材をプレスなどによって加工することで形成された部材であり、図８に示すように、台座部８２に取り付けられる主板９１と、主板９１の外周縁から主板９１に対して垂直に延びる側板９２とを備えている。
【００４４】
主板９１は、全体として一方向に長い略矩形状に形成されており、台座部８２に取り付けられた状態で、２つのコネクタ１０、５０の作業用開口部２４、６４を完全に覆うことが可能な大きさとされている。側板９２は、シェルカバー９０が２つのコネクタ１０、５０と共に台座部８２に取り付けられた状態で、主板９１の４辺のうち２つのコネクタ１０、５０の電線収容部２６、６６が配置されている１辺（図１の左下の１辺）を除く３辺に、一続きに連なって配置されている。
【００４５】
主板９１は、４つのボルト挿通孔９３Ａ、９３Ｂ、９３Ｃ、９３Ｄを有している。４つのボルト挿通孔９３Ａ、９３Ｂ、９３Ｃ、９３Ｄは、シェルカバー９０が台座部８２に取り付けられた状態で、４つの固定柱８５Ａ、８５Ｂ、８５Ｃ、８５Ｄに整合する位置に配置されている。
【００４６】
［２つのコネクタ１０、５０およびシェルカバー９０の機器ケース８０への組み付け］
まず、３極コネクタ５０を台座部８２に取り付ける。嵌合部６５を第２装着孔８４に嵌合させる。このとき、１列に並んでいる３つの固定柱８５Ａ、８５Ｂ、８５Ｃのうち真ん中の固定柱８５Ｂに、２つの取付片７５のうち１方が重なり、第２装着孔８４を挟んで固定柱８５Ｂと反対側に配置されている固定柱８５Ａに、他方の取付片７５が重なる。次いで、中継端子（図示せず）によって端子金具４０を機器ケース８０内部の端子台（図示せず）に接続した後、作業用開口部６４からハウジング本体６１内にサービスカバーを圧入することによって作業用開口部６４を塞ぐ。
【００４７】
次に、２極コネクタ１０を台座部８２に取り付ける。まず、嵌合部２５を第１装着孔８３に嵌合させる。このとき、固定柱８５Ｂに重ねられた３極コネクタ５０の取付片３５の上に、２極コネクタ１０の２つの取付片３５のうち一方が重なり、第１装着孔８３を挟んで固定柱８５Ｂと反対側に配置されている固定柱８５Ｃに、他方の取付片３５が重なる。なお、固定柱８５Ｃは、取付片７５の厚み分だけ、固定柱８５Ａ、８５Ｂよりも高くなっているので、２極コネクタ１０を台座部８２に対して傾くことなく取り付けることができる。そして、中継端子（図示せず）によって端子金具４０を機器ケース８０内部の端子台（図示せず）に接続した後、作業用開口部２４からハウジング本体２１内にサービスカバーを圧入することによって作業用開口部２４を塞ぐ。
【００４８】
次に、シェルカバー９０を台座部８２に取り付ける。シェルカバー９０を２つのコネクタ１０、５０に覆い付ける。そして、複数のボルト９４のうち１つを、ボルト挿通孔９３Ａ、７６に挿通してボルト穴８６Ａに締め込む。同様に、複数のボルト９４のうち他の１つを、ボルト挿通孔９３Ｂ、７６、３６に挿通してボルト穴８６Ｂに締め込み、さらに他の１つを、ボルト挿通孔９３Ｃ、３６に挿通してボルト穴８６Ｃに締め込み、残りの１つを、ボルト挿通孔９３Ｄに挿通してボルト穴８６Ｄに締め込む。これにより、シェルカバー９０とともに２つのコネクタ１０、５０が台座部８２に固定される。
【００４９】
［作用効果］
以上のように本実施形態によれば、コネクタ取付構造１は、機器ケース８０のケース壁８１に備えられた台座部８２と、この台座部８２に並んで取り付けられる２極コネクタ１０および３極コネクタ５０を備える。２極コネクタ１０は、内部に端子金具４０を収容するハウジング２０と、ハウジング２０に組み付けられ、台座部８２に取り付けられるシールドシェル３０とを備え、同様に、３極コネクタ５０も、ハウジング６０とシールドシェル７０とを備える。各シールドシェル３０、７０は、取付片３５、７５を有しており、台座部８２が、取付片３５、７５が固定される固定柱８５Ａ、８５Ｂ、８５Ｃ、８５Ｄを有している。２極コネクタ１０に備えられる２つの取付片３５のうちの１つと、３極コネクタ５０が有する２つの取付片７５のうちの１つとが、一つの固定柱８５Ｂに対して固定されている。
【００５０】
このような構成によれば、２極コネクタ１０の取付片３５と、３極コネクタの取付片７５とが、一つの固定柱８５Ｂを共用している分だけ、取付片３５、７５を配置するためのスペースを削減でき、コネクタ１０、５０の取り付けスペースを小さくすることができる。
【００５１】
また、機器ケース８０が、バッテリ８８と接続されるインバータ８７を内部に収容する部材であり、２極コネクタ１０が、バッテリ８８をインバータ８７と接続するコネクタであり、３極コネクタ８９が、機器ケース８０の外に配置される３相モータ８９をインバータ８７と接続するコネクタである。そして、２極コネクタ１０に備えられる取付片３５と、３極コネクタ５０に備えられる取付片７５とが、固定柱８５Ｂに対して、３極コネクタ５０の取付片７５、２極コネクタ１０の取付片３５の順に重なって配置されている。
【００５２】
つまり、台座部８２へのコネクタ１０、５０の取り付けの際には、３極コネクタ５０の取り付けが先に行われ、台座部８２からのコネクタ１０、５０の取り外しの際には、２極コネクタ１０の取り外しが先に行われることとなる。言い換えれば、台座部８２に対する３極コネクタ５０の取り付け、取り外しを行う際には、バッテリ８８に接続される２極コネクタ１０が必ず台座部８２から取り外された状態、すなわち、電源オフの状態となる。このような構成によれば、３極コネクタ５０の取扱作業の際のインターロック機構としての役割を２極コネクタ１０に担わせることができる。
【００５３】
＜他の実施形態＞
本明細書で開示される技術は上記記述及び図面によって説明した実施形態に限定されるものではなく、例えば次のような種々の態様も含まれる。
（１）上記実施形態によれば、２つのコネクタ１０、５０とシェルカバー９０とで、固定柱８５Ａ、８５Ｂ、８５Ｃ、８５Ｄを共有していたが、コネクタを固定するための被固定部と、シェルカバーを固定するための被固定部とが別々に配置されていても構わない。
【００５４】
（２）上記実施形態では、台座部８２に２つのコネクタ１０、５０が取り付けられていたが、コネクタ取付部に３つ以上のコネクタが取り付けられ、隣り合うコネクタの複数組のそれぞれにおいて、被固定部が共有されていても構わない。
【符号の説明】
【００５５】
１…コネクタ取付構造
１０…２極コネクタ（一のコネクタ）
２０…ハウジング
３０…シールドシェル（取付部材）
３５…取付片（一の固定部）
４０…端子金具
５０…３極コネクタ（他のコネクタ）
６０…ハウジング
７０…シールドシェル（取付部材）
７５…取付片（他の固定部）
８０…ケース
８１…ケース壁
８２…台座部（コネクタ取付部）
８５Ａ、８５Ｂ、８５Ｃ、８５Ｄ…固定柱（被固定部）
８７…バッテリ（電源）
８８…インバータ（第１の機器）
８９…３相モータ（第２の機器）
【図１】
2017062953.tif 000003
【図２】
2017062953.tif 000004
【図３】
2017062953.tif 000005
【図４】
2017062953.tif 000006
【図５】
2017062953.tif 000007
【図６】
2017062953.tif 000008
【図７】
2017062953.tif 000009
【図８】
2017062953.tif 000010
【図９】
2017062953.tif 000011